(57)【要約】【課題】本発明は、液晶プロジェクターのように向きのそろった明るい光源を投写源とする場合においても、シンチレーションが実質上発生せず、高輝度、高解像度、高品位な映像を得ることが可能な透過型スクリーン等に用いる光拡散板、およびその光拡散板を備えた透過型スクリーンを提供することにある。【解決手段】透明なプラスチック材料より形成されている透明プラスチック層（Ａ）と、拡散材が混入されているプラスチック材料より形成されている中間層（Ｂ）と、透明なプラスチック材料より形成されている透明プラスチック層（Ｃ）とを一体に積層してなる３層構造の光拡散板であって、前記中間層（Ｂ）の表裏面が、ランダムなうねり面を形成していることを特徴とする光拡散板、その光拡散板を備えたレンチキュラー板および透過型スクリーンである。【選択図】図１
2005309186.tif 000002
【特許請求の範囲】
【請求項１】
透明なプラスチック材料より形成されている透明プラスチック層（Ａ）と、拡散材が混入されているプラスチック材料より形成されている中間層（Ｂ）と、透明なプラスチック材料より形成されている透明プラスチック層（Ｃ）とを一体に積層してなる３層構造の光拡散板であって、
前記中間層（Ｂ）の表裏面が、ランダムなうねり面を形成していることを特徴とする光拡散板。
【請求項２】
前記中間層（Ｂ）の表裏のうねり面を表面粗さＲｍ（最大高さ）、Ｒａ（中心線平均粗さ）で表したとき、一体に積層してなる３層構造の前記光拡散板の厚さをＤ（μｍ）、また前記中間層（Ｂ）に混入されている拡散材の平均粒径をφとした場合、下記式（１）および（２）、かつ式（３）を満足することを特徴とする請求項１記載の光拡散板。
０＜Ｒｍ＜Ｄ／１０・・・式（１）
０＜Ｒａ＜Ｄ／２０・・・式（２）
かつ
１μｍ＜φ＜３０μｍ・・・式（３）
【請求項３】
前記光拡散板の透明プラスチック層（Ａ）および透明プラスチック層（Ｃ）のいずれかの表面にレンチキュラーシートが積層されていることを特徴とするレンチキューラ板。
【請求項４】
前記レンチキューラ板と、少なくともフレネル板を組み合わせてなることを特徴とする透過型スクリーン。
【発明の詳細な説明】
【技術分野】
【０００１】
本発明は、画像表示技術の分野に属するものであり、プロジェクションテレビやマイクロフィルムリーダー等の画面として用いられる、特に、シンチレーションが実質上発生せず、高輝度、高解像度、高品位な映像を得ることの可能な光拡散板、その光拡散板を備えたレンチキュラー板および透過型スクリーンに関するものである。
【背景技術】
【０００２】
従来、背面投写型プロジェクションテレビにおいては、投写された画像を観察側の広い範囲で明るく観察できるようにすることが要求されており、水平方向には広く拡散し、垂直方向にはそれよりも狭い範囲ではあるが適度の範囲に拡散するようにした、視野範囲に異方性のある透過型スクリーンが用いられている。
【０００３】
このような透過型スクリーンとしては、シートの片面または両面に垂直方向に延びるレンチキュラーレンズ等のレンズを連設するとともに、この様にして、拡散性をもたせた拡散シート中にさらに光拡散材を含有させ、連設されたレンズにより光を水平方向に広く拡散し、光拡散材により垂直方向にも光を拡散させるようにしたレンチキュラーレンズシートが一般的に使用されている。
【０００４】
光拡散材には、それを使用した透過型スクリーンの全光線透過率に占める拡散光線透過率の割合（曇価）が高く、光利用効率に優れること、色温度が高いこと、さらにＣＲＴや液晶プロジェクター等の光源の透けが観察されるシースルーや部分的に帯状の明るい部分が観察されるホットバーが無いことなどの性能が要求される。
【０００５】
下記に特許文献を記す。
【特許文献１】特開昭６０−４６５０３号公報
【特許文献２】特開昭６１−４７６２号公報
【特許文献３】特開平１−１７２８０１号公報  このような光拡散材としては、例えば、特許文献１記載のシリカ、白雲母やアルミナ、炭酸カルシウム及びガラスビーズ等の無機系光拡散材や、特許文献２記載のアクリル系樹脂、スチレン系樹脂及びこれらの共重合体や特許文献３記載のシリコーン系樹脂などの非晶質の有機系光拡散材等が用いられている。これら光拡散材は、図５に示すように、レンチキュラーレンズシート８０中に光拡散材８２を均一に分散させたり、または、図６に示すように、レンチキュラーレンズシート９０内部で光拡散材９２を出射側に偏在させたりして使用されている。
【０００６】
一方、透過型スクリーンと組合せて用いられる投写映像源として、近年、ＣＲＴではなく液晶パネルを利用した液晶プロジェクターが開発されてきた。この液晶プロジェクターは、画素ごとに光を通過させたり、遮断したりすることによって画像を形成するので、通常、光源からの光を平行光にして液晶パネルに入光させる。したがって、液晶パネルを通過した画素ごとの光は、画素ごとに発光しているＣＲＴのように拡散してはおらず、より方向性のそろった光となっている。また、一般的に使用されている液晶パネルは、ＣＲＴよりも小さいため、画素ごとの光の向きは、スクリーン上でもＣＲＴより液晶パネルの方がそろっている。
【発明の開示】
【発明が解決しようとする課題】
【０００７】
このような液晶プロジェクターのように向きのそろった明るい投写映像源（光源）を用いる場合には、従来より用いられている前述のような光拡散材を使用した透過型スクリーンでは、その画像を見ると、光拡散材による輝度の部分的変化が明確に視認され、画面全体がぎらついて見えてしまうシンチレーションという現象が発生するという問題があった。特に、コンピューターなどの静止画像を投影した場合にはこのシンチレーションが強く感じられ、非常に観視しにくい映像になるという問題があった。
【０００８】
このようなシンチレーションの問題を解決するために、まず、光拡散材の粒子形状がシンチレーションに与える影響を評価した結果では、球形光拡散材が最も著しくシンチレーションを発生した。これに対して、不定形光拡散材では球形光拡散材に比べシンチレーションの発生のレベルは低下するものの、完全にシンチレーションの発生を抑止することは出来なかった。しかも、不定形拡散材では、シースルーと呼ばれる光源の透けの現象が発生し、透過型スクリーン用の光拡散材としては十分満足すべきものではなかった。さらに検討を進めた結果、シンチレーションの発生を十分に抑制し、シースルーの発生をも抑制するためには、光拡散層の厚みを厚くするか、またはスクリーンゲインを低くする、すなわち光拡散材の添加量を多くし、出来るかぎり拡散性を強くする必要があることがわかった。しかしながら、光拡散層の厚みを厚くすればするほど解像力が低下し、また、スクリーンゲインを低下させるとプロジェクションテレビそのものの明るさが低下するなど、顕著な弊害が発生するという問題点を有している。
【０００９】
そこで、本発明の目的は、上記の従来の問題点を解決するために、液晶プロジェクターのように向きのそろった明るい光源を投写源とする場合においても、シンチレーションが実質上発生せず、高輝度、高解像度、高品位な映像を得ることが可能な透過型スクリーン等に用いる光拡散板、およびその拡散板を備えた透過型スクリーンを提供することにある。
【課題を解決するための手段】
【００１０】
上記の目的を達成するために、すなわち
請求項１に係る発明は、
透明なプラスチック材料より形成されている透明プラスチック層（Ａ）と、拡散材が混入されているプラスチック材料より形成されている中間層（Ｂ）と、透明なプラスチック材料より形成されている透明プラスチック層（Ｃ）とを一体に積層してなる３層構造の光拡散板であって、
前記中間層（Ｂ）の表裏面が、ランダムなうねり面を形成していることを特徴とする光拡散板である。
【００１１】
また、請求項２に係る発明は、
前記中間層（Ｂ）の表裏のうねり面を表面粗さＲｍ（最大高さ）、Ｒａ（中心線平均粗さ）で表したとき、一体に積層してなる３層構造の前記光拡散板の厚さをＤ（μｍ）、また前記中間層（Ｂ）に混入されている拡散材の平均粒径をφとした場合、下記式（１）および（２）、かつ式（３）を満足することを特徴とする請求項１記載の光拡散板である。
【００１２】
０＜Ｒｍ＜Ｄ／１０・・・式（１）
０＜Ｒａ＜Ｄ／２０・・・式（２）
かつ
１μｍ＜φ＜３０μｍ・・・式（３）
また、請求項３に係る発明は、
前記光拡散板の透明プラスチック層（Ａ）および透明プラスチック層（Ｃ）のいずれかの表面にレンチキュラーシートが積層されていることを特徴とするレンチキューラ板である。
【００１３】
また、請求項４に係る発明は、
前記レンチキューラ板と、少なくともフレネル板を組み合わせてなることを特徴とする透過型スクリーンである。
【００１４】
＜作用＞
透明プラスチック層（Ａ）と、拡散材が混入されている中間層（Ｂ）と、透明プラスチック層（Ｃ）とを一体に積層してなる３層構造の光拡散板からなり、前記中間層（Ｂ）の表裏面に、ランダムなうねり面を形成し、そのうねり面が表面粗さＲｍ、Ｒａで表したとき、一体に積層してなる３層構造の前記光拡散板の厚さをＤ（μｍ）、また前記中間層（Ｂ）に混入されている拡散材の平均粒径をφとした場合、下記式（１）および（２）、かつ式（３）を満足することで、シンチレーションの発生を実質上解消されると同時に光拡散層の厚みを薄く、光拡散材の添加量も少なくできるので、従来問題となっていた解像力が低下し、また、スクリーンゲインを低下させるとプロジェクションテレビそのものの明るさが低下するなどの弊害が解消される。
【００１５】
０＜Ｒｍ＜Ｄ／１０・・・式（１）
０＜Ｒａ＜Ｄ／２０・・・式（２）
かつ
１μｍ＜φ＜３０μｍ・・・式（３）
【発明の効果】
【００１６】
本発明により、シンチレーションの発生を実質上解消されると同時に光拡散層の厚みを薄く、光拡散剤の添加量も少なくできるので、解像力が低下し、また、スクリーンゲインを低下させるとプロジェクションテレビそのものの明るさが低下するなどの弊害が解消される。
【００１７】
また、３層構成とすることで、単位光線当たりの光路差も大きくなるのでスペックル、シンチレーションを制御することができる。
【発明を実施するための最良の形態】
【００１８】
以下、本発明の好ましい一実施形態について図面を参照して説明する。
【００１９】
図１は、本発明の光拡散板の構成の一例を示す断面図である。図２は、本発明における光拡散板の中間層（Ｂ）の表裏にランダムなうねり面を形成する方法の一例を説明する説明図である。図３は、本発明の光拡散板を備えたレンチキュラー板の構成の一例を示す垂直断面図である。図４は、本発明の光拡散板を備えたレンチキュラー板とフレネル板を組み合わせた透過型スクリーンの一例を示す斜視図である。
【００２０】
図１に示すように、本発明の光拡散板１０は、透明なプラスチック材料より形成されている透明プラスチック層（Ａ）１１と、拡散材１２ａが混入されているプラスチック材料より形成されている中間層（Ｂ）１２と、透明なプラスチック材料より形成されている透明プラスチック層（Ｃ）１３とを一体に積層してなる３層構造の光拡散板であって、前記中間層（Ｂ）の表裏１２ｂ，１２ｃの表面が、ランダムなうねり面を形成していることを特徴とする光拡散板である。
【００２１】
そして、上記の中間層（Ｂ）の表裏のうねり面を表面粗さＲｍ（最大高さ）、Ｒａ（中
心線平均粗さ）で表したとき、一体に積層してなる３層構造の前記光拡散板の厚さをＤ（μｍ）、また前記中間層（Ｂ）に混入されている拡散材の平均粒径をφとした場合、下記式（１）および（２）、かつ式（３）を満足することを特徴とするものである。
【００２２】
０＜Ｒｍ＜Ｄ／１０・・・式（１）
０＜Ｒａ＜Ｄ／２０・・・式（２）
かつ
１μｍ＜φ＜３０μｍ・・・式（３）
本発明において使用される光拡散板を構成する透明プラスチック層（Ａ）１１、中間層（Ｂ）１２、透明プラスチック層（Ｃ）１３を形成する各々のプラスチック材料としては、アクリル樹脂、メタクリル樹脂、ポリカーボネート樹脂、ポリエステル樹脂、スチレン樹脂、アクリル−スチレン共重合樹脂、塩化ビニル樹脂、紫外線硬化性樹脂等の通常使用されている透明樹脂を適宜選択して使用することができる。
【００２３】
本発明における中間層（Ｂ）１２に混入される光拡散材１２ａとしては、従来より使用されているものを使用することができ、例えば、スチレン系樹脂、アクリル系樹脂微粒子、シリコーン系樹脂などからなる有機系微粒子やガラスビーズ、シリカ、アルミナ、炭酸カルシウムなどからなる無機系微粒子を用いることができる。これら微粒子としては、平均粒径（φ）が１〜３０μｍのものを用いる。また、これら光拡散材の形状は球状のものでも不定形状のものでもよく、あるいは、球状と不定形状を併用してもよい。
【００２４】
光拡散材１２ａの混入量は、透過型スクリーンに要求されるスクリーンゲインによって、また、光拡散板を構成する中間層（Ｂ）１２の厚みに応じて適宜設定することができる。この混入量は、３〜５０重量％、好ましくは１０〜３０重量％である。
【００２５】
光拡散板を構成する中間層（Ｂ）の表裏１２ｂ，１２ｃにうねり面を形成する方法として、例えば、図２に示すように、表裏のうねり面１２ｂ，１２ｃを表面粗さＲｍ、Ｒａで表したとき、一体に積層してなる３層構造の前記光拡散板の厚さをＤ（μｍ）とした場合、下記式（１）および（２）を満足する表面に仕上げたエンボス金型２０を作成し、
０＜Ｒｍ＜Ｄ／１０・・・式（１）
０＜Ｒａ＜Ｄ／２０・・・式（２）
例えば、透明プラスチック層（Ａ）１１を構成する透明プラスチックシートもしくは板の片面に加熱エンボス法により、金型表面形状を転写賦型する［図２（ａ）参照］。表面形状を転写賦型された透明プラスチックシートもしくは板１１のその転写賦型面に、平均粒径（φ）が１μｍ＜φ＜３０μｍの拡散材を混入した紫外線硬化性樹脂からなる拡散塗料を所望の塗布装置３０により、所定の厚さに均一に塗布形成して中間層（ｂ）１２となる未硬化の拡散材混入紫外線硬化性樹脂からなる中間層（ｂ）１２′を形成た後［図２（ｂ）参照］、光拡散板を構成するもう一方の透明プラスチック層（Ｃ）１３の片面に上述したエンボス法により上記式（１）および（２）を満たす表面形状を転写賦型されたその表面側が、上記塗布面に接するように透明プラスチックシートもしくは板１３を載置して加圧した後、光拡散板の表裏から所望の紫外線照射装置４０により紫外線を照射して中間層（Ｂ）１２′を硬化せしめると同時に透明プラスチック層（Ａ）１１、中間層（Ｂ）１２′、透明プラスチック層（Ｃ）１３を接着積層一体化させる［図２（ｃ）参照］ことにより、透明なプラスチック材料より形成されている透明プラスチック層（Ａ）１１と、拡散材が混入されているプラスチック材料より形成されている中間層（Ｂ）１２と、透明なプラスチック材料より形成されている透明プラスチック層（Ｃ）１３とを一体に積層してなる３層構造の光拡散板の中間層（Ｂ）の表裏の表面が、上記式（１）および式（２）を満たすランダムなうねり面を形成している本発明の光拡散板１０が得られる［図２（ｄ）参照］。上記の光拡散板を構成する中間層（Ｂ）の表裏にうねり面を形成する方法は、一例を示したものであって、特に、この方法に限定されるものではない。
【００２６】
上記で得られる光拡散板のいずれかの面にレンチキュラーレンズ層を積層して、本発明の光拡散板を備えたレンチキュラー板とすることができる。
【００２７】
上記のレンチキュラー層の一例として、図３に示すように、透明基材６１の片面上に凸状シリンドリカルレンズ６２が並設されており、レンズの反対側基材面に凸状シリンドリカルレンズ６２の非集光部に相当する位置にブラックストライプ（ＢＳ）と呼ばれる黒色遮光層６３がストライプ状に設けられたレンチキュラー層６０を本発明の光拡散板１０のいずれかの面に積層してなるレンチキュラー板５０が得られる。
【００２８】
上記の凸状シリンドリカルレンズ６２部は、例えば、紫外線などの活性エネルギー線硬化性樹脂硬化物からなり、紫外線などの活性エネルギー線硬化性樹脂をエンボスロール金型の成型面に塗布し、透明基材６１をエンボスロール金型に供給し、透明基材６１を介して紫外線などの活性エネルギー線を照射し、前記樹脂を硬化させると同時に樹脂成型物である凸状シリンドリカルレンズ６２を透明基材６１に重合接着せしめるか、または、透明基材６１に活性エネルギー線硬化性樹脂組成物を塗布し、エンボスロール金型に供給し、透明基材６１を介してを活性エネルギー線照射し、前記樹脂を硬化させると同時に樹脂成型物であるシリンドリカルレンズ６２を透明基材６１に重合接着せしめる方法等によって成形されるが、特にこれらの方法に限定されるものではない。また、凸状シリンドリカルレンズ６２の形状は円形状あるいは非球面形状であっても良く、特に、形状は限定されない。これらのレンチキュラーレンズの形状及び寸法は、透過型スクリーンの要求性能に応じて適宜設定することができる。
【００２９】
上記の透明基材６１としては、凸状シリンドリカルレンズ部を支持するための透明支持体であり、透明性を有する材料であれば、特に限定されるものではないが、ポリエチレンテレフタレート（ＰＥＴ）、ポリカーボート（ＰＣ）フィルム基材が好ましい。
【００３０】
また、上記の黒色遮光層６３は、凸状シリンドリカルレンズ６２の反対側の透明基材６１の平坦面に、粘着性を有するもので、紫外線の照射によって、その粘着性が消失する特性を持つ紫外線硬化性樹脂層を塗布またはフィルム状の紫外線硬化型樹脂をラミネートし形成する。次に、凸状シリンドリカルレンズ６２を介して紫外線を照射し、レンズ作用によって集光して硬化した部分以外の紫外線硬化性樹脂層の未硬化部分に前記樹脂の粘性を利用して、黒色の粉体トナーを未硬化部分のみに付着させ、黒色遮光層６３を形成する。黒色粉体トナーとしては、黒色の色素、顔料、カーボン、金属塩あるいは黒色に着色したアクリル樹脂、有機シリコーン樹脂、ポリスチレン、尿素樹脂、ホルムアルデヒド縮合物等が挙げられるが、特に限定されるものではない。必要に応じて、２種類以上の黒色粉体トナーを組み合わせて使用してもよい。
【００３１】
または、凸状シリンドリカルレンズ６２を介して紫外線を照射し、レンズ作用によって集光して硬化した部分以外の紫外線硬化性樹脂層の未硬化部分に前記樹脂の粘性を利用して、黒色の着色層を有する転写シートを着色層側で重ね合わせ、未硬化部分の前記樹脂の粘性を利用して、前記着色層を未硬化部分にのみ付着させた後、硬化部分の着色層をレンズシートから剥離することにより、黒色遮光層６３を形成してもよい。前記転写シートは、黒色の着色層を有する転写シートであれば、転写シートの材質、構成等に特に限定されるものではなく汎用の転写シートが使用できる。
【００３２】
上記で得られたレンチキュラーレンズ層６０を光拡散板５０に、透光性の接着剤もしくは粘着剤等からなる接着層を介して接着することにより、容易、本発明の透過型クリーンに用いるレンチキュラー板を製造することができる。
【００３３】
また、必要に応じて、レンチキュラー板を着色したり、レンチキュラー板の出射側透明プラスチック層（Ｃ）の出射表面に、外光の写り込みを防止して画像品位の低下を防ぐ反射防止膜を形成したり、あるいはこれら表面を梨地面としたり、出射側表面のキズ付き等を防止するための耐擦傷性を付与する目的でハードコート層を形成したりすることができる。さらに、必要に応じて、低反射層、偏光フィルター層、帯電防止層、防眩処理層等も形成することができる。
【００３４】
上記のレンチキュラー板の着色は、染料や微細な顔料を用いて、レンチキュラーレンズシートを構成するプラスチック材料に混合分散させて行う。着色する色は、グレーのような無彩色や、光源の分光特性における３原色（赤、緑、青）のバランスを制御するような特定の色を選択的に吸収または透過するようなものを用いることができる。例えば、レンチキュラー板の透明プラスチック層（ｃ）１３を着色することにより、外光を光源からの投写光より多く吸収するので、画像のコントラストを向上させることができる。
【００３５】
上記の反射防止膜としては、例えば、蒸着またはコーティングして透明プラスチック層（ｃ）１３の出射面に形成することができる。蒸着の場合は、ＭｇＦ2、ＳｉＯ2等の誘電体を、コーティングの場合はフッ素系樹脂等を使用できる。
【００３６】
上記のハードコート層としては、例えば、透明プラスチック層（ｃ）１３の出射面に紫外線硬化型塗料から形成することができる。紫外線硬化型塗料は、一般的には皮膜形成成分としてその構造の中にラジカル重合性の二重結合又はエポキシ基を有するポリマー、オリゴマー、モノマー等を主成分とするものであり、その他光重合開始剤や増感剤を含有する。本発明に好ましいものは、皮膜形成成分がアクリレート系の官能基を有する多官能（メタ）アクリレート系の紫外線硬化型塗料を使用することによって、表面硬度、透明性、耐摩擦性、耐擦傷性等に優れたハードコート層を形成することができる。
【００３７】
ハードコート層の形成方法、例えば、ブレードコーティング、ロッドコーティング、ナイフコーティング、リバースロールコーティング、スプレーコーティング、オフセットグラビアコーティング等の任意の塗布方法により塗布されるが、特に塗布厚の精度、塗布表面の平滑性等に優れたグラビアコーティング、グラビアリバースコーティング、リバースロールコーティング、オフセットグラビアコーティング方法等が好適である。また、ハードコート層を転写層とした転写シートを用いて転写によって形成することもできる
レンチキュラー板の全体厚みは、適用する製品サイズにより適宜選択することができ、例えば１〜５ｍｍ、好ましくは２〜４ｍｍとすることができる。より高い解像度を要求される場合には、厚み３ｍｍ以下とするとよい。
【００３８】
図４に示すように、上記で得られるレンチキュラー板５０とフレネル板７０とを組み合わせて透過型スクリーンとすることができる。
【００３９】
上記の透過型スクリーンには、通常、最も出射面側の観察面に前面板（図示せず）等を組合せて使用することができる。この前面板は、スクリーンの表面に埃やゴミ等が付着したり、キズが付いたりするのを防止する目的で、耐久性のある透明性樹脂板が使用される。もちろん、この透明性樹脂板には、帯電防止層、反射防止膜、ハードコート層、防眩処理層を形成することができる。このような前面板を配置して使用する場合は、上述したレンチキュラー板の出射面に形成する上述した帯電防止層、反射防止膜、ハードコート層、防眩処理層等は除くことができる。
【００４０】
本発明の透過型スクリーンは、シンチレーションの発生しやすい液晶プロジェクター等のように向きの揃った投写映像を用いる場合に特に好適である。高輝度、高解像度、高品位な映像を得ることが可能である。
【図面の簡単な説明】
【００４１】
【図１】本発明の光拡散板の構成の一例を示す断面図である。
【図２】本発明における光拡散板の中間層（Ｂ）の表裏にランダムなうねり面を形成する方法の一例を説明する説明図である。
【図３】本発明の光拡散板を備えたレンチキュラー板の構成の一例を示す垂直断面図である。
【図４】本発明におけるレンチキューラ板と、少なくともフレネル板を組み合わせてなる透過型スクリーンの斜視図である。
【図５】従来の光拡散材混入レンチキュラーレンズシートの一例を示す垂直断面図である。
【図６】従来の光拡散材混入レンチキュラーレンズシートの他の例を示す垂直断面図である。
【符号の説明】
【００４２】
１０・・・光拡散板
１１・・・透明プラスチック層（Ａ）
１２・・・中間層（Ｂ）
１２′・・・未硬化中間層（Ｂ）
１２ａ、８２、９２・・・拡散材
１２ｂ、１２ｃ・・・うねり面黒色遮光層
１３・・・透明プラスチック層（Ｃ）
２０・・・エンボス金型
３０・・・塗布装置
４０・・・紫外線照射装置
５０・・・レンチキュラー板
６０・・・レンチキュラーレンズ層
６１・・・透明基材
６２、８１、９１・・・凸状シリンドリカルレンズ
６３・・・黒色遮光部
７０・・・フレネル板
８０、９０・・・レンチキュラーシート 
【図１】
2005309186.tif 000003
【図２】
2005309186.tif 000004
【図３】
2005309186.tif 000005
【図４】
2005309186.tif 000006
【図５】
2005309186.tif 000007
【図６】
2005309186.tif 000008